(57)【要約】      （修正有）【課題】  利用者の手が届かない位置に表示されている画像の操作を行うことができるとともに、利用者が専有する領域を確保しつつ、グループ内での画像の共有を可能にした画像表示制御装置を提供する。【解決手段】  ファイル操作モード時において、表示領域Ｍには利用者の手前（図中下方）の鑑賞モード画像領域６０と、その情報の利用者画像領域６２と、共有画像領域６４とが表示される。利用者画像領域６２は利用者（Ｍさん）の記録メディアに記録された画像がサムネイル表示される領域であり、共有画像領域６４は利用者（Ｍさん）に共有許可を与えた利用者（Ｎさん）の記録メディアに記録された画像がサムネイル表示される領域である。各領域６０〜６４間でサムネイル画像６６をドラッグ操作することにより、各利用者間での画像のやりとりや鑑賞モードにおける画像の表示位置の変更を行うことができる。【選択図】      図１１
2006048139.tif 000002
【特許請求の範囲】
【請求項１】
記憶手段に記憶された画像ファイルの画像を表示する画像表示手段と、
前記画像表示手段上に設けられ、該画像表示手段に表示された画像に対する操作入力を行うためのタッチパネルと、
前記画像表示手段に表示される画像の鑑賞に適した鑑賞モードと、画像ファイルのファイル操作に適したファイル操作モードとを切り替えるモード切替手段と、
前記鑑賞モード時に前記画像表示手段に表示させる画像の表示位置を管理する鑑賞モード表示位置管理テーブルと、
前記ファイル操作モード時に前記画像表示手段に一覧表示させるサムネイル画像の表示位置を管理するサムネイル表示位置管理テーブルと、
前記鑑賞モード時に前記記憶手段に記憶された画像ファイルの画像を前記鑑賞モード表示位置管理テーブルで管理された表示位置に表示させ、かつ前記タッチパネルからの操作入力に応じて前記画像表示手段に表示された画像の表示位置を該画像表示手段上の任意の位置に移動させるとともに、前記鑑賞モード表示位置管理テーブルで管理された表示位置を更新させる第１の制御手段と、
前記ファイル操作モード時に前記記憶手段に記憶された画像ファイルのサムネイル画像を前記サムネイル表示位置管理テーブルで管理された表示位置に表示させ、かつ前記タッチパネルからの操作入力に応じて前記画像表示手段に一覧表示されたサムネイル画像の表示位置の入れ替えを行うとともに、前記サムネイル表示位置管理テーブルで管理された対応するサムネイル画像の表示位置の入れ替えを行う第２の制御手段とを備え、
前記第２の制御手段によって前記サムネイル表示位置管理テーブルで管理されたサムネイル画像の表示位置の入れ替えが行われると、前記第１の制御手段は、前記入れ替えが行われたサムネイル画像に対応する画像の前記鑑賞モード表示位置管理テーブルで管理された表示位置の入れ替えを行うことを特徴とする画像表示制御装置。
【請求項２】
前記第１の制御手段によって前記鑑賞モード表示位置管理テーブルで管理された表示位置が更新されると、前記第２の制御手段は、前記更新後の表示位置に応じて前記サムネイル表示位置管理テーブルで管理されたサムネイル画像の表示位置の入れ替えを行うことを特徴とする請求項１記載の画像表示制御装置。
【請求項３】
前記鑑賞モード表示位置管理テーブルは、前記画像表示手段に表示させる画像の表示サイズ及び表示方向の少なくとも一方を更に管理し、前記第１の制御手段は、前記タッチパネルからの操作入力に応じて前記画像表示手段に表示された画像の表示サイズ及び表示方向の少なくとも一方を変更させるとともに、前記鑑賞モード表示位置管理テーブルで管理された表示サイズ及び表示方向の少なくとも一方を更新させることを特徴とする請求項１又は２記載の画像表示制御装置。
【請求項４】
前記鑑賞モード表示位置管理テーブルは、前記画像表示手段に表示させる画像の表示の優先順位を示す階層情報を更に管理し、前記第１の制御手段は、前記画像表示手段に表示する画像が重なる場合には前記階層情報にしたがって優先順位の高い画像を上に表示させることを特徴とする請求項１から３のいずれか１項記載の画像表示制御装置。
【請求項５】
前記第１の制御手段は、前記タッチパネルによって最後に操作した画像の優先順位を一番にし、最後に操作した画像よりも優先順位の高かった画像の優先順位が一つずつ繰り下がるように前記階層情報を更新することを特徴とする請求項４記載の画像表示制御装置。
【請求項６】
前記第２の制御手段は、前記ファイル操作モード時に前記記憶手段内のフォルダを示すフォルダ領域を前記画像表示手段に表示させ、前記鑑賞モードで表示されている画像のサムネイル画像を前記フォルダ領域外に表示させ、前記鑑賞モードで表示されていない前記フォルダ内の画像のサムネイル画像を前記フォルダ領域内に表示させることを特徴とする請求項１から５のいずれか１項記載の画像表示制御装置。
【請求項７】
前記第２の制御手段は、前記ファイル操作モード時に複数の記憶手段内のフォルダを示すフォルダ領域を前記画像表示手段にそれぞれ表示させ、前記タッチパネルからの操作入力に応じて前記フォルダ領域へのサムネイル画像の移動により、前記フォルダ内の対応する画像ファイルの移動又は複写を行うことを特徴とする請求項１から５のいずれか１項記載の画像表示制御装置。
【請求項８】
前記モードの切り替え時に、各モードにおける前記画像の表示位置の間で、表示サイズを変化させながら段階的に移動する画像が表示されることを特徴とする請求項１から７のいずれか１項記載の画像表示制御装置。
【請求項９】
記憶手段に記憶された画像ファイルの画像を表示する機能と、
前記表示される画像の鑑賞に適した鑑賞モードと、画像ファイルのファイル操作に適したファイル操作モードとを切り替える機能と、
前記鑑賞モード時に前記表示された画像の表示位置を管理する鑑賞モード表示位置管理テーブルを作成する機能と、
前記ファイル操作モード時に一覧表示されたサムネイル画像の表示位置を管理するサムネイル表示位置管理テーブルを作成する機能と、
前記鑑賞モード時に前記記憶手段に記憶された画像ファイルの画像を前記鑑賞モード表示位置管理テーブルで管理された表示位置に表示させ、かつ前記タッチパネルからの操作入力に応じて前記表示された画像の表示位置を任意に移動させるとともに、前記鑑賞モード表示位置管理テーブルで管理された表示位置を更新させる機能と、
前記ファイル操作モード時に前記記憶手段に記憶された画像ファイルのサムネイル画像を前記サムネイル表示位置管理テーブルで管理された表示位置に表示させ、かつ前記タッチパネルからの操作入力に応じて前記一覧表示されたサムネイル画像の表示位置の入れ替えを行うとともに、前記サムネイル表示位置管理テーブルで管理された対応するサムネイル画像の表示位置の入れ替えを行う機能と、
前記サムネイル表示位置管理テーブルで管理されたサムネイル画像の表示位置の入れ替えが行われた場合に、前記入れ替えが行われたサムネイル画像に対応する画像の前記鑑賞モード表示位置管理テーブルで管理された表示位置の入れ替えを行う機能と、
をコンピュータに実現させることを特徴とする画像表示制御プログラム。
【発明の詳細な説明】
【技術分野】
【０００１】
本発明は画像表示制御装置及び画像表示制御プログラムに関する。
【背景技術】
【０００２】
従来、パーソナルコンピュータや携帯情報端末（ＰＤＡ）等において、マウスや入力ペン等のポインティングデバイスを用いて画面上に表示されている画像を指示しながらドラッグすると、そのドラッグ操作に追随して画像を画面上の所望の位置まで移動させるＧＵＩが用いられている。例えば、特許文献１には、タッチパネル上に表示されている操作ボタン等のタッチ操作部材をドラッグ操作に付いて移動させる制御部を有する表示装置について開示されている。
【０００３】
上記特許文献１に開示されている表示装置は、一般に１人のユーザにより操作されることを想定し、指や入力ペン等のポインティングデバイスが直接触れる範囲にタッチ操作部材が表示されることを前提としてＧＵＩの設計が行われている。
【０００４】
ところで、特許文献２には、喫茶店やレストラン等において、利用者が持参した媒体から画像データを読み取り、画像を加工してプリンタに出力する情報端末テーブルが開示されている。特許文献２に開示された情報端末テーブルによれば、１つのテーブルを１グループで利用することで、画像の表示や加工、印刷を楽しむことができる。このような場合には、天板上の画像を表示する領域はできるだけ大きく、グループ全員で画像を自由に操作できるほうが都合がよい。
【特許文献１】特開２００４−７０４９２号公報
【特許文献２】特開２００２−２３６９７２号公報
【発明の開示】
【発明が解決しようとする課題】
【０００５】
上記特許文献２に係る情報端末テーブルにおいては、表示領域が大きい場合にも、利用者の手が届かない領域に表示されている画像に操作を行う必要がある。しかしながら、特許文献１に開示されているような従来の表示装置のＧＵＩによれば、利用者の手が届かない範囲に表示されている画像の操作を行うことができないという問題があった。
【０００６】
また、上記特許文献２に係る情報端末テーブルでは、表示部（タッチパネル部）を同席の誰もが操作可能となっているため、グループで利用する場合等に他の利用者の画像を誤って操作してしまうおそれがある。
【０００７】
本発明はこのような事情に鑑みてなされたもので、利用者の手が届かない位置に表示されている画像の操作を行うことができるとともに、利用者が専有する領域を確保しつつ、グループ内での画像の共有を可能にした画像表示制御装置及び画像表示制御プログラムを提供することを目的とする。
【課題を解決するための手段】
【０００８】
上記目的を達成するために請求項１に係る画像表示制御装置は、記憶手段に記憶された画像ファイルの画像を表示する画像表示手段と、前記画像表示手段上に設けられ、該画像表示手段に表示された画像に対する操作入力を行うためのタッチパネルと、前記画像表示手段に表示される画像の鑑賞に適した鑑賞モードと、画像ファイルのファイル操作に適したファイル操作モードとを切り替えるモード切替手段と、前記鑑賞モード時に前記画像表示手段に表示させる画像の表示位置を管理する鑑賞モード表示位置管理テーブルと、前記ファイル操作モード時に前記画像表示手段に一覧表示させるサムネイル画像の表示位置を管理するサムネイル表示位置管理テーブルと、前記鑑賞モード時に前記記憶手段に記憶された画像ファイルの画像を前記鑑賞モード表示位置管理テーブルで管理された表示位置に表示させ、かつ前記タッチパネルからの操作入力に応じて前記画像表示手段に表示された画像の表示位置を該画像表示手段上の任意の位置に移動させるとともに、前記鑑賞モード表示位置管理テーブルで管理された表示位置を更新させる第１の制御手段と、前記ファイル操作モード時に前記記憶手段に記憶された画像ファイルのサムネイル画像を前記サムネイル表示位置管理テーブルで管理された表示位置に表示させ、かつ前記タッチパネルからの操作入力に応じて前記画像表示手段に一覧表示されたサムネイル画像の表示位置の入れ替えを行うとともに、前記サムネイル表示位置管理テーブルで管理された対応するサムネイル画像の表示位置の入れ替えを行う第２の制御手段とを備え、前記第２の制御手段によって前記サムネイル表示位置管理テーブルで管理されたサムネイル画像の表示位置の入れ替えが行われると、前記第１の制御手段は、前記入れ替えが行われたサムネイル画像に対応する画像の前記鑑賞モード表示位置管理テーブルで管理された表示位置の入れ替えを行うことを特徴とする。
【０００９】
請求項１に係る画像表示制御装置によれば、鑑賞モードにおいて利用者の手の届かない位置に表示された画像であっても、ファイル操作モードに切り替えることで操作可能となる。
【００１０】
請求項２に示すように請求項１に係る画像表示制御装置において、前記第１の制御手段によって前記鑑賞モード表示位置管理テーブルで管理された表示位置が更新されると、前記第２の制御手段は、前記更新後の表示位置に応じて前記サムネイル表示位置管理テーブルで管理されたサムネイル画像の表示位置の入れ替えを行うことを特徴とする。
【００１１】
請求項３に示すように請求項１又は２に係る画像表示制御装置において、前記鑑賞モード表示位置管理テーブルは、前記画像表示手段に表示させる画像の表示サイズ及び表示方向の少なくとも一方を更に管理し、前記第１の制御手段は、前記タッチパネルからの操作入力に応じて前記画像表示手段に表示された画像の表示サイズ及び表示方向の少なくとも一方を変更させるとともに、前記鑑賞モード表示位置管理テーブルで管理された表示サイズ及び表示方向の少なくとも一方を更新させることを特徴とする。
【００１２】
請求項３に係る画像表示制御装置によれば、鑑賞モード時に画像の表示サイズや表示方向を任意に変更することができる。
【００１３】
請求項４に示すように請求項１から３に係る画像表示制御装置において、前記鑑賞モード表示位置管理テーブルは、前記画像表示手段に表示させる画像の表示の優先順位を示す階層情報を更に管理し、前記第１の制御手段は、前記画像表示手段に表示する画像が重なる場合には前記階層情報にしたがって優先順位の高い画像を上に表示させることを特徴とする。
【００１４】
請求項５に示すように請求項４に係る画像表示制御装置において、前記第１の制御手段は、前記タッチパネルによって最後に操作した画像の優先順位を一番にし、最後に操作した画像よりも優先順位の高かった画像の優先順位が一つずつ繰り下がるように前記階層情報を更新することを特徴とする。
【００１５】
請求項４及び５に係る画像表示制御装置によれば、画像が互いに重なり合う場合に、優先順位の高い画像や直前に操作した画像が手前に表示されるため、画像の操作が容易になる。
【００１６】
請求項６に示すように請求項１から５に係る画像表示制御装置において、前記第２の制御手段は、前記ファイル操作モード時に前記記憶手段内のフォルダを示すフォルダ領域を前記画像表示手段に表示させ、前記鑑賞モードで表示されている画像のサムネイル画像を前記フォルダ領域外に表示させ、前記鑑賞モードで表示されていない前記フォルダ内の画像のサムネイル画像を前記フォルダ領域内に表示させることを特徴とする。
【００１７】
請求項６に係る画像表示制御装置によれば、記憶手段内の画像であって、鑑賞モード時に表示されていない画像を管理することができる。
【００１８】
請求項７に示すように請求項１から５に係る画像表示制御装置において、前記第２の制御手段は、前記ファイル操作モード時に複数の記憶手段内のフォルダを示すフォルダ領域を前記画像表示手段にそれぞれ表示させ、前記タッチパネルからの操作入力に応じて前記フォルダ領域へのサムネイル画像の移動により、前記フォルダ内の対応する画像ファイルの移動又は複写を行うことを特徴とする。
【００１９】
請求項７に係る画像表示制御装置によれば、例えば、他の利用者の記憶手段内の画像を共有することができる。
【００２０】
請求項８に示すように請求項１から７に係る画像表示制御装置において、前記モードの切り替え時に、各モードにおける前記画像の表示位置の間で、表示サイズを変化させながら段階的に移動する画像が表示されることを特徴とする。
【００２１】
請求項８に係る画像表示制御装置によれば、鑑賞モードの画像とファイル操作モードのサムネイル画像の対応を利用者に容易に認識させることができる。
【００２２】
請求項９に係る画像表示制御プログラムは、記憶手段に記憶された画像ファイルの画像を表示する機能と、前記表示される画像の鑑賞に適した鑑賞モードと、画像ファイルのファイル操作に適したファイル操作モードとを切り替える機能と、前記鑑賞モード時に前記表示された画像の表示位置を管理する鑑賞モード表示位置管理テーブルを作成する機能と、前記ファイル操作モード時に一覧表示されたサムネイル画像の表示位置を管理するサムネイル表示位置管理テーブルを作成する機能と、前記鑑賞モード時に前記記憶手段に記憶された画像ファイルの画像を前記鑑賞モード表示位置管理テーブルで管理された表示位置に表示させ、かつ前記タッチパネルからの操作入力に応じて前記表示された画像の表示位置を任意に移動させるとともに、前記鑑賞モード表示位置管理テーブルで管理された表示位置を更新させる機能と、前記ファイル操作モード時に前記記憶手段に記憶された画像ファイルのサムネイル画像を前記サムネイル表示位置管理テーブルで管理された表示位置に表示させ、かつ前記タッチパネルからの操作入力に応じて前記一覧表示されたサムネイル画像の表示位置の入れ替えを行うとともに、前記サムネイル表示位置管理テーブルで管理された対応するサムネイル画像の表示位置の入れ替えを行う機能と、前記サムネイル表示位置管理テーブルで管理されたサムネイル画像の表示位置の入れ替えが行われた場合に、前記入れ替えが行われたサムネイル画像に対応する画像の前記鑑賞モード表示位置管理テーブルで管理された表示位置の入れ替えを行う機能とをコンピュータに実現させることを特徴とする。
【発明の効果】
【００２３】
本発明によれば、画像の鑑賞や画像ファイルの操作に適したＧＵＩを提供することができる。また、利用者の手が届かない位置に表示されている画像の操作を行ったり、他の利用者の画像の共有を行ったりすることができる。
【発明を実施するための最良の形態】
【００２４】
以下、添付図面に従って本発明に係る画像表示制御装置及び画像表示制御プログラムの好ましい実施の形態について説明する。図１は、本発明の一実施形態に係る画像表示制御システムを示すブロック図である。画像表示制御システム１０は、喫茶店やレストラン等の店舗に設置されるもので、画像表示制御装置（画像表示テーブル）１２と、プリンタ１４と、店員用の入出力装置や店内カメラ、ＰＯＳレジ等を含む店内システム１６と、システム制御や画像処理に係るプログラムや利用者の画像と合成されるテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００２５】
図２は本発明の一実施形態に係る画像表示制御装置（画像表示テーブル）を示す斜視図であり、図３は平面図である。図２及び図３に示すように、本実施形態の画像表示テーブル１２は２人掛けの円卓であり、表面に画像を表示する表示部３０が設けられている。表示部３０は、例えば、有機ＥＬ（electro-luminescence）や液晶ディスプレイ（ＬＣＤ）、電子ペーパー等である。なお、図３の表示部３０上の矩形の領域は、表示されている画像である。
【００２６】
表示部３０には、座席（図示されず）に対応した２つの表示領域Ｍ及びＮが設けられている。図３に示すように、画像表示テーブル１２の各表示領域Ｍ及びＮにはそれぞれ利用者（Ｍさん及びＮさん）が着席している。表示領域Ｍ及びＮはそれぞれＭさん及びＮさんが専有して各々の画像の表示や操作を行うための表示領域である。各利用者は、他の表示領域との間で相互に共有許可を与えることにより、異なる表示領域間でも画像のやりとりを行うことができる。なお、画像の共有方法については後述する。
【００２７】
なお、図２等に示す画像表示テーブル１２は２人掛けの円卓であるが、本発明はこれに限定されるものではなく、何人掛けであってもよいし、四角いテーブルやカウンタテーブルであってもよい。この場合、表示領域の形状は、テーブルの席数や形状に応じて異なった形状となる。
【００２８】
図２に示すように、表示部３０の図における下面には、利用者の画像の入出力を行うメディアリーダ／ライタ（図５の符号４２）等を備える入出力部３２が表示領域ごとに取り付けられている。
【００２９】
図４は、本発明の一実施形態に係る画像表示制御装置（画像表示テーブル）の構成を示すブロック図である。図４に示す画像表示テーブル１２は、上述の表示部３０と、入出力部３２と、操作部３４と、中央処理装置（ＣＰＵ）３６と、メモリ３８と、通信Ｉ／Ｆ４０とを含んでいる。
【００３０】
ＣＰＵ３６は、画像表示テーブル１２を統括制御する制御部である。ＣＰＵ３６は、操作部３４等からの入力に基づいて画像表示テーブル１２の動作を制御する。なお、ＣＰＵ３６はサーバ１８が兼ねていてもよい。
【００３１】
操作部３４は、画像表示テーブル１２を操作するためのタッチパネルであり、各利用者は表示部３０に表示された画像に指やスタイラスペン等でタッチすることにより画像の操作や共有許可を行う。なお、操作部（タッチパネル）３４における指等の検出方法は、アナログ容量結合方式や超音波方式、抵抗膜方式、赤外線方式等を用いることができる。なお、本実施形態では、操作部３４をタッチパネルとしたが、ペンタブレットやマウス、タッチパッド等のポインティングデバイスであってもよい。
【００３２】
メモリ３８には、ＣＰＵ３６が処理するプログラム及び制御に必要な各種データ等が格納されるＲＯＭや、入出力部３２を介して入力した画像データが格納される記憶領域及びＣＰＵ３６が各種の演算処理等を行う作業用領域となるＳＤＲＡＭ（Synchronous Dynamic RAM）等が含まれている。
【００３３】
通信Ｉ／Ｆ４０は、ＬＡＮに接続するための機器で、所定のプロトコルにしたがって各種データの送受信を行う。
【００３４】
図５は、入出力部３２を拡大して示す斜視図である。入出力部３２は、記録メディアに画像データを入出力するメディアリーダ／ライタ４２と、音声入出力用のジャック４４とを備えている。メディアリーダ／ライタ４２は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図５においては、メディアリーダ／ライタ４２は１つの記録メディア挿入口として簡略化されている。
【００３５】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００３６】
なお、図５には、音声入出力用のジャック４４が示されているが、別に音声出力用のスピーカやマイク等を備えていてもよい。
【００３７】
以下、本実施形態の画像表示テーブル１２の表示モード（ＧＵＩ）について説明する。図６は、表示モードの遷移を模式的に示す図である。図６に示すように、本実施形態の画像表示テーブル１２は、鑑賞モード（図７参照）とファイル操作モード（図１１参照）の２つの表示モードを含んでおり、操作部３４を操作することにより両モードに切り替え可能となっている。
【００３８】
各表示モードにおける操作内容は、他の表示モードに切り替えられた場合に反映される。例えば、ファイル操作モードで消去された画像については、鑑賞モードでも消去され表示されなくなる。
【００３９】
なお、図中のテーブル（鑑賞モード表示位置管理テーブル５８及びサムネイル画像表示位置管理テーブル７０）については後述する。
【００４０】
まず、各利用者によりメディアリーダ／ライタ４２に記録メディアが挿入されると、記録メディアに記録されているデジタル画像が読み取られ、各利用者の表示領域に読み取られた画像が一覧表示される。各利用者による操作部３４からの操作入力により、この一覧表示された画像の中から鑑賞、加工したい画像が選択される。メモリ３８には各表示領域に対応した画像の記憶領域（フォルダ）が設けられており、選択された画像はメモリ３８上の記憶領域に記憶され、鑑賞モード時に各表示領域に表示される。
【００４１】
以下、鑑賞モードについて説明する。図７は、鑑賞モード時の表示領域Ｍの例を示す図である。なお、図７には説明の便宜上ｘｙ軸が示されている。図７に示す表示領域Ｍの利用者Ｍさんの座席は、ｘ軸の図中下方に位置している。
【００４２】
図７に示すように、鑑賞モード時において、表示領域Ｍには上記で選択された画像５０と、利用者（Ｍさん）の記録メディアに対応するアイコン５２と、Ｍさんとの間で共有許可が設定された利用者（Ｎさん）の記録メディアに対応するアイコン５４が表示される。各画像５０の図中上端部には、ファイル名等が表示される領域や操作ボタンを含む機能バー５６が設けられている。
【００４３】
また、図７においては、アイコン５４は１つだけ示されているが、実際にはＭさんとの間で共有許可が設定された利用者の人数分表示される。なお、共有許可を設定することができるのは、同じ画像表示テーブル１２に着席した利用者に限定されるものではなく、ＬＡＮ接続された他の画像表示テーブル１２の利用者に対しても共有許可を与えることができるようにしてもよい。
【００４４】
鑑賞モードにおいては、画像５０は鑑賞モード表示位置管理テーブルに従って表示される。図８は、鑑賞モード表示位置管理テーブルを示す図である。図８に示す鑑賞モード表示位置管理テーブル５８には、ウィンドウ、画像５０のファイル名、表示位置、表示サイズ、表示方向及び階層が記録されており、図７の表示領域Ｍの状態に対応している。なお、この画像管理テーブル５８はメモリ３８（図４参照）に記録されており、利用者により画像５０が操作されるごとに更新される。
【００４５】
ウィンドウは、画像５０の表示されているウィンドウごとに一意に決まる番号である。
【００４６】
表示位置は、画像５０の表示部３０における表示位置であり、例えば、画像５０の中心の座標で表される。
【００４７】
表示サイズは、画像５０の表示部３０におけるサイズであり、例えば、画像５０の径や縦横の長さ等で表される。
【００４８】
表示方向は、画像５０の向きを示しており、例えば、ｘ軸と画像５０の下側の辺のなす角度で表される。
【００４９】
階層は、画像５０が重なり合っている場合の画像の表示順位であり、階層の値の小さい画像ほど手前に表示される。
【００５０】
次に、鑑賞モードにおける画像の操作方法について説明する。まず、画像５０を記録メディアに格納する場合には、利用者（Ｍさん）により画像５０がアイコン５２にドラッグ・アンド・ドロップされる。これにより、画像５０が記録メディアに格納され、格納された画像に関するデータが鑑賞モード表示位置管理テーブル５８、及びメモリ３８から消去される。
【００５１】
また、画像５０を他の利用者に渡す場合には、利用者（Ｍさん）により画像５０がアイコン５４にドラッグ・アンド・ドロップされる。これにより、ドラッグ・アンド・ドロップされた画像５０が、利用者（Ｎさん）の記録メディアにコピーされるとともに、Ｎさんの表示領域Ｎの所定の場所に表示される。なお、この場合、画像５０は、Ｎさんの記録メディア上ではなく、メモリ３８上の表示領域Ｎに対応する記憶領域にコピーされるようにしてもよい。
【００５２】
また、本実施形態においては、画像５０を直接Ｎさんに渡すことができる。図９は、鑑賞モード時における画像の受け渡し方法の別の例を示す図である。まず、図９（ａ）に示すように、画像５０の機能バー５６のコピーボタンにタッチする。すると、図９（ｂ）に示すように、画像５０のコピー５０’が作成される。次に、図９（ｃ）に示すように、このコピー５０’を表示領域Ｍから表示領域Ｎにドラッグする。これにより、利用者（Ｍさん）の表示領域Ｍとの間で共有許可が設定された表示領域Ｎに画像５０を受け渡すことができる。
【００５３】
図１０は、画像５０が重なり合った場合の例を示す図である。図１０（ａ）に示すように、画像Ｄが画像Ｃと重なる位置にドラッグされた場合、直前までタッチされていた画像Ｄが最も手前に表示される。このとき、図１０（ｂ）に示すように、画像管理テーブル５８の階層が更新されて、画像Ｄの表示順位が１位になり、他の画像の階層については順位が順次繰り下がる。なお、階層については、例えば、メニュー選択等により変更可能となっていてもよい。
【００５４】
上記のほか鑑賞モードにおいては、画像の表示位置の移動、拡大／縮小、印刷指示、セーブ／消去又は動画再生等の操作を行う。なお、音声付の画像の場合にはジャック４４（図５参照）を利用して音声を聞くこともできる。また、利用者は、操作部３４を操作して、画像への書き込み、画像の色合い等の調整、画像とテンプレート等との合成、シールやインデックスプリントの作成、ジャック４４からの音声入力等、さまざまな加工を施すことができる。また、上述のように、メディアリーダ／ライタ４２により加工した画像データを記録メディアに格納して持ち帰ることができる。また、図１に示すプリンタ１４には通常の印刷用紙のほかラメ加工やシール加工等が施された用紙が搭載されており、各利用者は所望の用紙を選択して印刷することができる。なお、本実施形態においては、プリンタ１４は画像表示テーブル１２ごとに１台ずつ設置されていてもよい。
【００５５】
なお、本実施形態においては、利用者が記録メディアで持ち込んだ画像のほかに、例えば、店内（例えば、画像表示テーブル１２上）にカメラ（定点カメラ）等を設置して、このカメラによって撮影された画像についても上述のような操作等が行えるようにしてもよい。
【００５６】
次に、ファイル操作モードについて説明する。図１１は、ファイル操作モード時の表示領域Ｍの例を示す図である。図１１に示す表示領域Ｍの利用者（Ｍさん）の座席は、図中下方に位置している。
【００５７】
図１１に示すように、ファイル操作モード時において、表示領域Ｍには利用者の手前（図中下方）の鑑賞モード画像領域６０と、その情報の利用者画像領域６２と、共有画像領域６４とが表示される。鑑賞モード画像領域６０は、鑑賞モード時に表示部３０に表示されている画像５０（図７参照）がサムネイル表示される領域である。鑑賞モード画像領域６０において、サムネイル画像６６はサムネイル画像表示位置管理テーブル（後述）に従って表示される。
【００５８】
利用者画像領域６２は利用者（Ｍさん）の記録メディアに記録された画像がサムネイル表示される領域であり、共有画像領域６４は利用者（Ｍさん）との間で共有許可が設定された利用者（Ｎさん）の記録メディアに記録された画像がサムネイル表示される領域である。図中の符号６２Ｓ及び６４Ｓは、それぞれ領域６２及び６４においてサムネイル画像６６をスクロールするためのスクロールバーである。
【００５９】
図１１に示すように、利用者画像領域６２のサムネイル画像６６のうち鑑賞モード画像領域６０に表示されている画像については、符号６８に示すように網かけ表示や彩度等を落とした表示になる。
【００６０】
なお、各領域６０〜６４においては、記録メディアに格納された画像は、サムネイル表示ではなく、ファイル名で表示されるようにしてもよい。
【００６１】
また、図１１においては、共有画像領域６４は１つだけ示されているが、実際にはＭさんとの間で共有許可が設定された利用者の人数分表示される。なお、共有許可を設定することができるのは、同じ画像表示テーブル１２に着席した利用者に限定されるものではなく、ＬＡＮ接続された他の画像表示テーブル１２の利用者に対しても共有許可を与えることができるようにしてもよい。
【００６２】
ここで、サムネイル画像表示位置管理テーブルについて説明する。図１２は、サムネイル画像表示位置管理テーブルを示す図である。図１２に示すサムネイル画像表示位置管理テーブル７０には、鑑賞モード画像領域６０に表示されているサムネイル画像６６のウィンドウ、ファイル名及び表示位置が記録されており、図１１に示す表示領域の状態に対応している。なお、このサムネイル画像表示位置管理テーブル７０はメモリ３８（図４参照）に記録されており、利用者が鑑賞モード画像領域６０のサムネイル画像６６を操作するごとに更新される。
【００６３】
ウィンドウ及びファイル名は、図８の鑑賞モード表示位置管理テーブルと共通である。表示位置は、サムネイル画像６６の表示部３０における表示位置であり、例えば、サムネイル画像６６の中心の座標で表される。
【００６４】
なお、サムネイル画像表示位置管理テーブル７０は、鑑賞モード表示位置管理テーブル５８と統合されていてもよい。
【００６５】
ここで、鑑賞モード画像領域６０のサムネイル画像６６の配置方法について説明する。上記の鑑賞モード画像領域６０のサムネイル画像６６の配置は、鑑賞モードにおける画像５０の表示位置によって異なる。このサムネイル画像６６の表示順は鑑賞モード時の表示位置から決定される。図１３は、鑑賞モード画像領域６０におけるサムネイル画像６６の表示位置を決定する方法の例を示す図である。
【００６６】
鑑賞モード画像領域６０においては、例えば、鑑賞モード時の画像５０の表示位置が左上にあるものから順に配置される。具体的には、図１３（ａ）の左上から右下方向に直線７２をスライドさせたときに、直線７２に触れる画像５０から順番に配置される。したがって、図１３（ａ）からファイル操作モードに切り替えられた場合、図１３（ｂ）に示すように、サムネイル画像６６がＤ、Ａ、Ｃ、Ｂの順で表示される。
【００６７】
なお、鑑賞モード画像領域６０における画像の配置順は上記に限定されるものではなく、例えば、ファイル名順や分類（図１６参照）順等であってもよい。
【００６８】
また、鑑賞モード画像領域６０のサムネイル画像６６の配置は、鑑賞モード時の画像５０の表示枚数によっても異なる。図１４は、鑑賞モード画像領域６０におけるサムネイル画像６６の配置の例を示す図である。図１４（ａ）〜（ｄ）は、それぞれ鑑賞モードにおいて表示されている画像５０の枚数が２枚から５枚までの場合に対応する。
【００６９】
次に、ファイル操作モードにおける画像の操作方法について説明する。図１１において、まず、記録メディアから画像を取り出す場合には、利用者により利用者画像領域６２から鑑賞モード画像領域６０にサムネイル画像６６がドラッグされる。そして、鑑賞モードに切り替えられると、鑑賞モード画像領域６０にドラッグされた画像が表示領域Ｍの適当な位置にレイアウトされて表示される。
【００７０】
また、画像を格納する場合には、画像鑑賞モード画像領域６０から利用者画像領域６２にサムネイル画像６６がドラッグされる。これにより、画像を記録メディアに格納することができる。この場合、格納された画像は鑑賞モード時に表示されなくなる。
【００７１】
また、利用者（Ｍさん）に共有許可を与えた利用者（Ｎさん）の画像を取り出す場合には、Ｍさんにより共有画像領域６４から鑑賞モード画像領域６０にサムネイル画像６６がドラッグされる。そして、鑑賞モードに切り替えられると、鑑賞モード画像領域６０にドラッグされたＮさんの画像が表示領域Ｍの適当な位置にレイアウトされて表示される。
【００７２】
また、利用者（Ｍさん）により鑑賞モード画像領域６０から共有画像領域６４にサムネイル画像６６がドラッグされると、利用者（Ｎさん）の記録メディアにドラッグされた画像がコピーされる。なお、この場合、画像５０は、記録メディア上ではなく、メモリ３８上のＮさんの記憶領域にコピーされるようにしてもよい。
【００７３】
なお、本実施形態においては、ファイル操作モードにおいてサムネイル画像６６の位置を入れ替えることで、鑑賞モード時の画像５０の表示位置を入れ替えることができる。図１５は、画像の表示位置の入れ替え方法を示す図である。図１５（ａ）及び（ｂ）に示すように、ファイル操作モードにおいて鑑賞モード画像領域６０のサムネイル画像ＢとＤが同時にドラッグされて位置が入れ替えられ、鑑賞モードに切り替えられると、図１５（ｃ）に示すように、鑑賞モードにおける画像ＢとＤの位置が入れ替えられる。これにより、例えば、鑑賞モードにおいて利用者の手が届かない位置にある画像５０を移動させることができる。
【００７４】
なお、図１５においては、サムネイル画像６６が２つ同時にドラッグされるようにしたが、いずれか一方だけドラッグされるようにしてもよい。この場合、ドラッグされたサムネイル画像６６の移動位置以降に表示されているサムネイル画像６６のウィンドウ（図８及び図１２参照）が１つずつ繰り下がり、鑑賞モードにおいて対応する画像５０の表示位置に反映される。
【００７５】
なお、ファイル操作モードの利用者画像領域６２においては、サムネイル画像６６が分類されて表示されるようにしてもよい。図１６は、利用者画像領域６２のタブ表示を示す図である。この場合、例えば、利用者により画像の分類指示が入力されると、デジタル画像のタグ情報に含まれる付属情報に基づいて画像が自動的に分類され、図１６に示すように、利用者画像領域６２に分類項目に応じたタブが表示される。この分類項目は、例えば、撮影日時の情報や、地図（ＧＰＳ）情報等である。近年では、デジタル画像は、ファイルの作成に知事情報を含み、また、近年では、ＧＰＳ（Global Positioning System）機能を有するカメラ付き携帯電話やデジタルカメラが普及しており、これらの情報がデジタル画像のタグ情報（Exif規格）に含まれている。したがって、これらの情報を利用することにより画像の分類が容易となる。なお、画像の分類は、タグ情報のほか、例えば、画像の認識処理により行われるようにしてもよい。なお、共有画像領域６４においても上記のようなタブ表示を行ってもよい。
【００７６】
次に、表示モードの切り替え時のＧＵＩについて説明する。図１７は、表示モードの切り替え時の表示の変化を模式的に示す図である。図１７に示すように、表示モードの切り替え時に、鑑賞モードにおける画像５０及びファイル操作モードの鑑賞モード画像領域６０におけるサムネイル画像６６の表示位置の間で段階的に画像の大きさを変えながら移動する画像７４が表示される。これにより、利用者は画像５０とサムネイル画像６６の対応を認識することができる。なお、この画像７４は、枠だけであってもよい。
【図面の簡単な説明】
【００７７】
【図１】本発明の一実施形態に係る画像表示制御システムを示すブロック図
【図２】本発明の一実施形態に係る画像表示制御装置（画像表示テーブル）を示す斜視図
【図３】本発明の一実施形態に係る画像表示制御装置（画像表示テーブル）を示す平面図
【図４】本発明の一実施形態に係る画像表示制御装置（画像表示テーブル）の構成を示すブロック図
【図５】入出力部３２を拡大して示す斜視図
【図６】表示モードの遷移を模式的に示す図
【図７】鑑賞モード時の表示領域Ｍの例を示す図
【図８】鑑賞モード表示位置管理テーブルを示す図
【図９】画像５０が重なり合った場合の例を示す図
【図１０】鑑賞モード時における画像の受け渡し方法を示す図
【図１１】ファイル操作モード時の表示領域Ｍの例を示す図
【図１２】サムネイル画像表示位置管理テーブルを示す図
【図１３】鑑賞モード画像領域６０におけるサムネイル画像６６の表示位置を決定する方法の例を示す図
【図１４】鑑賞モード画像領域６０におけるサムネイル画像６６の配置の例を示す図
【図１５】画像の表示位置の交換方法を示す図
【図１６】利用者画像領域６２のタブ表示を示す図
【図１７】表示モードの切り替え時の表示の変化を模式的に示す図
【符号の説明】
【００７８】
１０…画像表示制御システム、１２…画像表示制御装置（画像表示テーブル）、１４…プリンタ、１６…店内システム、１８…サーバ、２０…ハブ、３０…表示部、３２…入出力部、３４…操作部、３６…中央処理装置（ＣＰＵ）、３８…メモリ、４０…通信Ｉ／Ｆ、４２…メディアリーダ／ライタ、４４…ジャック、５８…鑑賞モード表示位置管理テーブル、６０…鑑賞モード画像領域、６２…利用者画像領域、６４…共有画像領域、７０…サムネイル画像表示位置管理テーブル
【図１】
2006048139.tif 000003
【図２】
2006048139.tif 000004
【図３】
2006048139.tif 000005
【図４】
2006048139.tif 000006
【図５】
2006048139.tif 000007
【図６】
2006048139.tif 000008
【図７】
2006048139.tif 000009
【図８】
2006048139.tif 000010
【図９】
2006048139.tif 000011
【図１０】
2006048139.tif 000012
【図１１】
2006048139.tif 000013
【図１２】
2006048139.tif 000014
【図１３】
2006048139.tif 000015
【図１４】
2006048139.tif 000016
【図１５】
2006048139.tif 000017
【図１６】
2006048139.tif 000018
【図１７】
2006048139.tif 000019